(57)【要約】【課題】すべての便臭を吸着するような吸着剤がなかった。【解決手段】本発明のトイレ脱臭装置は、筐体１１と筐体１１の内部に触媒と吸着剤を混合して担持した触媒一体型吸着体１２と、マイナス粒子を発生するマイナス粒子発生装置１３と、通風手段１４を有し、通風路１５に通風路の入口９から矢印の通風方向で便臭が通過するものである。通常の吸着剤で吸着しにくい便臭が触媒一体型吸着体を通過することで、触媒部分の吸着作用及び触媒作用により無臭物質に変化させるか、または吸着剤部分で吸着できる物質に変化させることによって、吸着剤部分で完全除去することができ、さらに後段のマイナス粒子発生装置から発生するマイナス粒子により、リラックス効果も付与することができる。【選択図】　図２
2004100319.tif 000002
【特許請求の範囲】
【請求項１】
通風路の入口を便器内部に吸気口を通して接続し、前記通風路に通風するための手段を有し、前記通風路に触媒と吸着剤を混合して担持した触媒一体型吸着体と、前記触媒一体型吸着体の後段にマイナス粒子を発生するマイナス粒子発生装置を便器一体型トイレユニット内部に設けてなることを特徴とするトイレ脱臭装置。
【請求項２】
通風路の入口をトイレ便器に吸気口を通して接続し、前記通風路に通風するための手段を有し、前記通風路に触媒と吸着剤を混合して担持した触媒一体型吸着体と、前記触媒一体型吸着体の後段にマイナス粒子を発生するマイナス粒子発生装置をトイレ便座内部に設けてなることを特徴とするトイレ脱臭装置。
【請求項３】
触媒は、チタン、クロム、マンガン、鉄、コバルト、ニッケル、銅、亜鉛の酸化物の中から選ばれた少なくとも１種以上であることを特徴とする請求項１または２記載のトイレ脱臭装置。
【請求項４】
触媒は、チタン、クロム、マンガン、鉄、コバルト、ニッケル、銅、亜鉛の酸化物の中から選ばれた少なくとも２種以上で、なおかつそれらが複合酸化物を形成することを特徴とする請求項１または２記載のトイレ脱臭装置。
【請求項５】
吸着剤は、ゼオライト、活性炭、シリカゲル、酸化珪素の中から選ばれた少なくとも１種以上であることを特徴とする請求項１または２記載のトイレ脱臭装置。
【請求項６】
触媒一体型吸着体は、セラミックハニカムであることを特徴とする請求項１または２記載のトイレ脱臭装置。
【請求項７】
マイナス粒子発生装置は、電気的に接地した導電性基材と、前記導電性基材に担持した光電子発生材と、前記光電子発生材に紫外線を照射するための光源とからなることを特徴とする請求項１から６のいずれか１項に記載のトイレ脱臭装置。
【請求項８】
導電性基材は、銅、アルミニウム、ステンレス、真鍮の中から選ばれた１種類以上からなることを特徴とする請求項７に記載のトイレ脱臭装置。
【請求項９】
光電子発生材は、金、白金、銀、銅、ステンレス、窒化チタンの中から選ばれた１種類以上からなることを特徴とする請求項７または８記載のトイレ脱臭装置。
【発明の詳細な説明】
【０００１】
【発明の属する技術分野】
本発明は、トイレ内の悪臭である便臭を除去するための装置に関するものであり、特に便臭を除去すると同時にマイナス粒子を付加するトイレ脱臭装置に関するものである。
【０００２】
【従来の技術】
従来のトイレ脱臭装置は、吸着剤だけを用いた簡易的なものも含めて多数存在する。さらに金属酸化物だけを用いたものは、従来でもある（例えば特許文献１参照）。
【０００３】
また、従来のトイレ脱臭装置には、脱臭後の空気にマイナス粒子を添加するような機能が付いていなかった。
【０００４】
【特許文献１】
特開平８−２５７４０６号公報
【０００５】
【発明が解決しようとする課題】
しかしながら前記従来のトイレ脱臭装置では、すべての便臭を吸着するような吸着剤は存在しないため、完全に便臭を除去することはできない。また、金属酸化物で構成された触媒だけを使用すれば、例えば、硫化水素は除去されるが、メチルメルカプタンは二硫化ジメチルに変化し、悪臭としては完全に除去できないという課題を有している。
【０００６】
さらに、前記従来のトイレ脱臭装置は臭いを除去するためだけのものであり、トイレ内でのリラックス感覚を増大させる効果は期待できないという課題も有している。
【０００７】
【課題を解決するための手段】
前記従来技術の課題を解決するために、本発明のトイレ脱臭装置は、通風路の入口を便器内部に吸気口を通して接続し、前記通風路に通風するための手段を有し、前記通風路に触媒と吸着剤を混合して担持した触媒一体型吸着体と、前記触媒一体型吸着体の後段にマイナス粒子を発生するマイナス粒子発生装置を便器一体型トイレユニット内部に設けたものである。通常の吸着剤で吸着しにくい便臭が前段の触媒一体型吸着体を通過することで、触媒体の吸着作用及び触媒作用により無臭物質に変化させるか、または吸着剤で吸着できる物質に変化させることによって、触媒一体型吸着体に含まれる吸着剤で完全除去しようというものであり、さらに後段のマイナス粒子発生装置から発生するマイナス粒子により、リラックス効果を与えようとするものである。
【０００８】
【発明の実施の形態】
請求項１に記載した発明は、通風路の入口を便器内部に吸気口を通して接続し、前記通風路に通風するための手段を有し、前記通風路に触媒と吸着剤を混合して担持した触媒一体型吸着体と、前記触媒一体型吸着体の後段にマイナス粒子を発生するマイナス粒子発生装置を便器一体型トイレユニット内部に設けている。
【０００９】
トイレ内で用を足したときに、便器内の便臭を便器一体型トイレユニットに便器内部から直接吸い込み通風路に通風させ、触媒と吸着剤を混合して担持した触媒一体型吸着体に通過させると、大部分の便臭は触媒や吸着剤で吸着されるが、一部の触媒や吸着剤で吸着できない物質は触媒によって吸着剤に吸着可能な物質に変化させることができる。このため便臭をすべて除去することができる。さらに後段に配置されたマイナス粒子発生装置からマイナス粒子を発生することができる。そのため、便器内の便臭を部屋内に拡散させることなく脱臭することができ、なおかつマイナス粒子によりリラックス感覚を増大させる効果を得ることができる。
【００１０】
請求項２に記載した発明は、通風路の入口をトイレ便器に吸気口を通して接続し、前記通風路に通風するための手段を有し、前記通風路に触媒と吸着剤を混合して担持した触媒一体型吸着体と、前記触媒一体型吸着体の後段にマイナス粒子を発生するマイナス粒子発生装置をトイレ便座内部に設けている。
【００１１】
トイレ内で用を足したときに、便器内の便臭をトイレ便座内部にトイレ便器から直接吸い込み通風路に通風させ、触媒と吸着剤を混合して担持した触媒一体型吸着体に通過させると、大部分の便臭は触媒や吸着剤で吸着されるが、一部の触媒や吸着剤で吸着できない物質は触媒によって吸着剤に吸着可能な物質に変化させることができる。このため便臭をすべて除去することができる。さらに後段に配置されたマイナス粒子発生装置からマイナス粒子を発生することができる。そのため、便器内の便臭を部屋内に拡散させることなく脱臭することができ、なおかつマイナス粒子によりリラックス感覚を増大させる効果を得ることができる。
【００１２】
請求項３に記載した発明は、触媒は、チタン、クロム、マンガン、鉄、コバルト、ニッケル、銅、亜鉛の酸化物の中から選ばれた少なくとも１種以上からなることを特徴とする。
【００１３】
触媒としてチタン、クロム、マンガン、鉄、コバルト、ニッケル、銅、亜鉛の酸化物の中から選ばれた少なくとも１種以上を用いれば、触媒の活性が大きいため、触媒体または触媒一体型吸着体に便臭を通過させると、無臭物質かまたは別の物質に速く変化させることができる。この変化した物質を後段の吸着体または、触媒と混合された吸着剤で除去することができる。
【００１４】
請求項４に記載した発明は、触媒は、チタン、クロム、マンガン、鉄、コバルト、ニッケル、銅、亜鉛の酸化物の中から選ばれた少なくとも２種以上で、なおかつそれらが複合酸化物を形成することを特徴とする。
【００１５】
触媒としてチタン、クロム、マンガン、鉄、コバルト、ニッケル、銅、亜鉛の酸化物の中から選ばれた少なくとも２種以上を用いれば、それらが複合酸化物を形成することで、触媒の活性が大きいため、触媒体または触媒一体型吸着体に便臭を通過させると、無臭物質かまたは別の物質に速く変化させることができる。この変化した物質を後段の吸着体または、触媒と混合された吸着剤で除去することができる。
【００１６】
請求項５に記載した発明は、吸着剤は、ゼオライト、活性炭、シリカゲル、酸化珪素の中から選ばれた少なくとも１種以上であることを特徴とする。
【００１７】
吸着剤としてゼオライト、活性炭、シリカゲル、酸化珪素の中から選ばれた少なくとも１種以上を用いれば、吸着能力が高いため、通過する便臭を速く確実に吸着させ除去することができる。
【００１８】
請求項６に記載した発明は、触媒体及び吸着体及び触媒一体型吸着体は、セラミックハニカムであることを特徴とする。
【００１９】
触媒体及び吸着体及び触媒一体型吸着体としてセラミックハニカムを用いれば、耐食性が高いため、腐食性が大きい便臭や水分が多く含まれた便臭を通過させても、触媒体及び吸着体及び触媒一体型吸着体を劣化させることなく、除去することができる。
【００２０】
請求項７に記載した発明は、マイナス粒子発生装置は、電気的に接地した導電性基材と、前記導電性基材に担持した光電子発生材と、前記光電子発生材に紫外線を照射するための光源とからなることを特徴とする。
【００２１】
電気的に接地した導電性基材に担持した光電子発生材に紫外線を照射すると、光電効果により光電子を発生する。光電子が放出された光電子発生材は、光電子の放出箇所に正孔ができるが、光電子発生材を担持した導電性基材を電気的に接地することにより、すぐに正孔には電子が補充されるため、放出された光電子が正孔に戻りにくいので、発生するマイナス粒子量を減少させることなく安定して空気中に放出することができる。
【００２２】
請求項８に記載した発明は、導電性基材は、銅、アルミニウム、ステンレス、真鍮の中から選ばれた１種類以上からなることを特徴とする。
【００２３】
導電性基材として満たすべき特性は、電気抵抗が小さいことがあげられる。本特性があれば、光電子発生材を電気的に接地して光電子発生材から光電子が抜け出た跡である正孔を速やかに電気的に中和することができる。
【００２４】
請求項９に記載した発明は、光電子発生材は、金、白金、銀、銅、ステンレス、窒化チタンの中から選ばれた１種類以上からなることを特徴とする。
【００２５】
光電子発生材が満たすべき特性は下記３点である。１．仕事関数が比較的小さいこと、２．電気抵抗が小さいこと、３．表面の経時劣化がないこと。１．での仕事関数とは、光電子が光電子発生材から真空中に飛び出すために必要なエネルギーのことで、その値が小さいほど光電子は発生し易い。２．の特性は、光電子発生材を電気的に接地して光電子発生材から光電子が抜け出た跡である正孔を速やかに電気的に中和するために必要である。また３．は、表面が酸化するなどで劣化を起こすと、通常は、より仕事関数が大きくなってしまい、光電子が発生しにくくなることによる。これら３点の要求を満たし、なおかつコストが比較的安価な材料としては、貴金属である金、白金、銀、及び銅、ステンレス、窒化チタンである。
【００２６】
【実施例】
以下、本発明の実施例について説明する。
【００２７】
（実施例１）
図１は実施例１の構成を示す図である。本発明のトイレ脱臭装置は、洋式便器１と便座２と蓋３とタンク４を有する便器一体型トイレユニット５の洋式便器１に吸気口６を接続し、接続部７を通して便器一体型トイレユニット５内部のトイレ脱臭装置本体８に接続される。洋式便器１から出る便臭は吸気口６より、接続部７を通って通風路の入口９からトイレ脱臭装置本体８に入り、脱臭処理とマイナスイオン添加をされた後トイレ脱臭装置本体８から便器一体型トイレユニット５外部に放出される。
【００２８】
図２は実施例１のトイレ脱臭装置本体の構成を示す図である。
【００２９】
本実施例のトイレ脱臭装置は、筐体１１と筐体１１の内部に触媒と吸着剤を混合して担持した触媒一体型吸着体１２とマイナス粒子を発生するマイナス粒子発生装置１３と通風手段１４を有し、通風路１５に通風路の入口９から矢印の通風方向で便臭が通過するものである。
【００３０】
図３は実施例１のトイレ脱臭装置内部のマイナス粒子発生装置を示す図である。マイナス粒子発生装置１３は、光電子発生材２１を担持した導電性基材２２が筐体１１の内部に設置されており、導電性基材２２には電気的な接地２４が取り付けられ、光源２３からの紫外線によって光電子発生材２１から光電子が発生し、便臭が除去された空気に含まれる水や酸素等の分子、または埃等の微粒子が、光電子発生材２１の表面を通り、光電子が捕獲されてマイナス粒子を含む空気としてトイレ脱臭装置外に放出される。
【００３１】
前記便臭の代表例として、本実施例では硫化水素、アンモニア、メチルメルカプタンの混合ガスを使用しており、触媒として大日精化株式会社製のダイピロキサイト＃７８１０（成分はマンガン、銅、コバルトの複合酸化物）、吸着剤としてユニオン昭和株式会社販売の疎水性ゼオライト、アブセンツ＃２０００（成分は二酸化珪素が１００重量部未満、酸化アルミニウムが３５重量部未満、水が１０重量部未満、酸化ナトリウムが５重量部未満で、４種類の合計が１００重量部である）を使用しており、担体としてセラミック材のハニカム構造体を使用し、前記触媒と前記吸着剤を１：１で混合しており、触媒一体型吸着体１２としている。
【００３２】
以下、本実施例１の動作について説明する。筐体１１内部を通過する便臭としての硫化水素、アンモニア、メチルメルカプタンは、前段の触媒一体型吸着体１２の触媒部分で硫化水素が全て吸着され、アンモニアは大部分が通過する。さらにメチルメルカプタンは、触媒作用により全て二硫化ジメチルへと変化する。一方、吸着剤部分ではアンモニアが完全に吸着され、さらにメチルメルカプタンから変化した二硫化ジメチルが完全に吸着されるため、便臭は全て除去される。さらに、便臭が全て除去された後の空気は、マイナス粒子発生装置１３を通過することによって、マイナス粒子が空気に付加されるわけである。
【００３３】
以下に、本実施例１の効果を検証する実験の結果について報告する。
【００３４】
第１の実験は、前記した触媒一体型吸着体とマイナス粒子発生装置を用いたトイレ脱臭装置を組込んだ便器一体型トイレユニットと、従来例として吸着体のみを用いたトイレ脱臭装置を組込んだ便器一体型トイレユニットと、触媒体のみを用いたトイレ脱臭装置を組込んだ便器一体型トイレユニットを使用して、便臭として硫化水素、アンモニア、メチルメルカプタンの混合物をそれぞれ５０ｐｐｍの濃度で混合し、空間速度ＳＶ＝１００００ｈ−１で流して、それぞれのトイレ脱臭装置を通過した後の硫化水素、アンモニア、メチルメルカプタン及びメチルメルカプタンから変化した二硫化ジメチルの混合ガスの濃度を測定し、除去率を測定しているものである。この実験の結果を（図４）に示している。
【００３５】
（図４）に示しているように、本実施例１のトイレ用脱臭機を用いれば、混合した便臭が１０時間は完全に除去することができるものである。これは通常のトイレ空間内の便臭濃度はそれぞれの物質で多少の誤差はあるが、約０．０５ｐｐｍとされており、本実施例では１０００倍の加速試験ということになり、１００００時間の寿命があるというわけである。これは、１日３時間の使用とすれば、９年相当の寿命がある。
【００３６】
第２の実験は、触媒体として使用する触媒の種類を変えて第１の実験と同様の実験を行ったときに、便臭の５時間後の除去率と、除去率が９０％になるまでの時間を測定したものである。この実験の結果を（表１）に示している。
【００３７】
【表１】
2004100319.tif 000003
【００３８】
この実験の結果、触媒としては、酸化マンガンや酸化銅を用いれば最も長時間除去率が高く、次いで酸化亜鉛の効果が高く、さらに酸化チタン、酸化クロム、酸化鉄、酸化コバルト、酸化ニッケルの効果が高いということが判明した。
【００３９】
第３の実験は、触媒体として使用する触媒の種類を２種類にし、それらから複合酸化物を調製して、第１の実験と同様の実験を行ったときに、便臭の５時間後の除去率と、除去率が９０％になるまでの時間を測定したものである。この実験の結果を（表２）に示している。
【００４０】
【表２】
2004100319.tif 000004
【００４１】
この実験の結果、触媒に利用する金属の複合酸化物としては、マンガンと銅、マンガンとコバルト、マンガンと亜鉛、マンガンと鉄を代表として、それらは全て長時間除去率が高く、さらに他の複合酸化物でも効果が高いということが判明した。
【００４２】
第４の実験は、使用する吸着剤の種類を変えて第１の実験と同様の実験を行ったときに、便臭の５時間後の除去率と、除去率が９０％になるまでの時間を測定したものである。この実験の結果を（表３）に示している。
【００４３】
【表３】
2004100319.tif 000005
【００４４】
この実験の結果、吸着剤としては、ゼオライトや活性炭を用いれば最も長時間除去率が高く、シリカゲル、酸化珪素の効果が高いということが判明した。
【００４５】
（実施例２）
図５は本実施例２の構成を示す図である。本発明のトイレ脱臭装置は、洋式便器３１と便座３２と蓋３３を有する洋式トイレの洋式便器３１に吸気口３６を接続し、接続部３７を通して便座３２内部のトイレ脱臭装置本体３８に接続される。洋式便器３１から出る便臭は吸気口３６より、接続部３７を通って通風路の入口３９からトイレ脱臭装置本体３８に入り、脱臭処理とマイナスイオン添加をされた後トイレ脱臭装置本体３８から便座３２外部に放出される。
【００４６】
本実施例のトイレ脱臭装置は、筐体１１と筐体１１の内部に触媒と吸着剤を混合して担持した触媒一体型吸着体１２とマイナス粒子を発生するマイナス粒子発生装置１３と通風手段１４を有し、通風路１５に通風路の入口９から矢印の通風方向で便臭が通過するものである。
【００４７】
前記便臭として、本実施例２では硫化水素、アンモニア、メチルメルカプタンの混合ガスを使用しており、触媒一体型吸着体１２としてマンガン、銅、コバルトの複合酸化物と疎水性ゼオライトを１：１で混合しており、触媒一体型吸着体３１の担体としてはセラミックハニカムを使用している。
【００４８】
本実施例２の動作について説明する。筐体１１内部を通過する便臭としての硫化水素、アンモニア、メチルメルカプタンは、触媒一体型吸着体内部の触媒部分では硫化水素が全て吸着され、アンモニアは大部分が吸着されない。さらにメチルメルカプタンは、触媒の効果により全て二硫化ジメチルへと変化する。そして吸着剤部分ではアンモニアが完全に吸着され、さらにメチルメルカプタンから変化した二硫化ジメチルが、完全に吸着されるため、便臭は全て除去されるわけである。
【００４９】
本実施例２は、前記した触媒一体型吸着体を用いた脱臭装置をトイレ便座内部に組み込んで、実施例１と同様の方法で実験を行った。この実験の結果を（図６）に示している。
【００５０】
（図６）に示しているように、本実施例の脱臭装置を用いれば、便臭としての硫化水素、アンモニア、メチルメルカプタンが７時間は完全に除去することができるものである。これは通常のトイレ空間内の便臭濃度はそれぞれの物質で多少の誤差はあるが、約０．０５ｐｐｍとされており、本実施例では１０００倍の加速試験ということになり、７０００時間の寿命があるというわけである。これは、１日３時間の使用とすれば、７年相当の寿命がある。
【００５１】
（実施例３）
実施例３に用いたトイレ脱臭装置は実施例１で用いたものと同等である。
【００５２】
本実施例３では、前記光電子発生材２１は、金、白金、銀、銅、ステンレス、窒化チタンの中から選ばれた１種類以上であるものを使用している。これらの光電子発生材は仕事関数が小さく、紫外線を照射したときに金属表面から効率よく光電子が発生するため、マイナス粒子を効率よく発生させるのに適している。
【００５３】
また本実施例３では、前記導電性基材２２は、銅、アルミニウム、ステンレス、真鍮の中から選ばれた１種類以上であるものを使用している。これらの導電性基材は電気抵抗が小さく、光電子発生材を電気的に接地して光電子発生材から光電子が抜け出た跡である正孔を速やかに電気的に中和するのに適している。
【００５４】
また本実施例３では、電気的な接地２４を導電性基材２２に取り付けている。光電効果により光電子が放出された光電子発生材２１は、光電子の放出箇所に正孔ができ、光電子と正孔との間に電気的引力が働き、発生した光電子が光電子発生材２１に吸着される。そこで光電子発生材２１を担持した導電性基材２２を電気的に接地することにより、正孔には電子が補充されるため、放出された光電子が正孔に戻ることがないので、マイナス粒子を減少させることなく発生させるのに適している。
【００５５】
以下に、本実施例３の効果を検証する実験の結果について報告する。
【００５６】
第１の実験は、導電性基材２２として厚さ０．１ｍｍのステンレスを用い、これに光電子発生材２１として金メッキを行った。また、光源２３として３Ｗの紫外線殺菌ランプを用いた。
【００５７】
導電性基材２２に電気的な接地２４を取り付けたマイナス粒子発生装置１４を組み込んだ、本トイレ脱臭装置から発生するマイナス粒子を評価するための実験を行った。光源２３の紫外線殺菌ランプを点灯し、マイナス粒子を発生させた。測定は装置出口から１ｃｍの位置と、トイレ空間の便器から高さ１ｍの位置で行い、装置作動後から２分毎に１０分間、単位体積当たりのマイナス粒子の数をイオンテスターで測定した。試験結果を（図７）に示す。
【００５８】
（図７）の結果から明らかなように、本発明のトイレ脱臭装置を用いれば、常に安定したマイナス粒子の発生が見られ、トイレ空間内のマイナス粒子を増加させることができた。このことから、本発明はマイナス粒子の発生を減少させることなく、常に一定に空気中へのマイナス粒子の供給を実現し、トイレ空間にリラックス効果の付与を実現することができた。
【００５９】
第２の実験は、導電性基材２２として、銅、アルミニウム、ステンレス、真鍮からなるマイナス粒子発生装置１４を組み込んだトイレ脱臭装置用いて、第１の実験と同様の方法で、マイナス粒子の測定を行った。なお、測定は装置出口から１ｃｍの位置と、トイレ空間の便器から高さ１ｍの位置で行い、装置作動後２分後に単位体積当たりのマイナス粒子の数をイオンテスターで測定した。測定結果を（表４）に示す。
【００６０】
【表４】
2004100319.tif 000006
【００６１】
この実験の結果、本発明のトイレ脱臭装置を用いて、導電性基材として、銅、アルミニウム、ステンレス、真鍮を用いれば、多くのマイナス粒子が発生することが判明した。その中でも特に銅を用いた場合に大量のマイナス粒子が発生することがわかった。
【００６２】
第３の実験は、光電子発生材２１として、金、白金、銀、銅、ステンレス、窒化チタンからなるマイナス粒子発生装置１４を組み込んだトイレ脱臭装置を用いて、第１の実験と同様の方法で、マイナス粒子の測定を行った。なお、測定は装置出口から１ｃｍの位置と、トイレ空間の便器から高さ１ｍの位置で行い、装置作動後２分後に単位体積当たりのマイナス粒子の数をイオンテスターで測定した。測定結果を（表５）に示す。
【００６３】
【表５】
2004100319.tif 000007
【００６４】
この実験の結果、本発明のトイレ脱臭装置を用いて、光電子発生材として、金、白金、銀、銅、ステンレス、窒化チタンを用いれば、多くのマイナス粒子が発生することが判明した。その中でも特に金、白金を用いた場合に大量のマイナス粒子が発生することがわかった。
【００６５】
なお、実施例１から実施例３では、筐体としての限定は全くしていない。つまり筐体は、形状、大きさ、厚さ、種類が限定されるものではなく、トイレ脱臭装置として適用できる形状や大きさや厚さや種類であれば、どのようなものでも構わない。
【００６６】
また、実施例１から実施例３で用いたマイナス粒子発生装置は、紫外線を用いて金属を励起させる手法を用いたが、例えば放電を利用した方式や、水を破砕する方式や、天然鉱物を利用する方式などを利用してマイナス粒子を発生させる方法もあり、これらのようにマイナス粒子を発生させる手法であれば、どのようなものでも構わない。
【００６７】
また、実施例３では、導電性基材として厚さ０．１ｍｍのステンレスを用いたが、厚さ、種類は限定されるものではなく、導電性でありなおかつ光電子発生材が担持できれば、どのようなものでも構わない。
【００６８】
【発明の効果】
以上のように本発明によれば、トイレ便器に接続し、通風路に触媒を担持した触媒体と、触媒体の後段に吸着剤を担持した吸着体と、吸着体の後段にマイナス粒子を発生するマイナス粒子発生装置を設け、便器から通風路に風を送ることにより、脱臭とマイナス粒子の添加を同時に行うことができるトイレ脱臭装置としている。トイレ内で用を足したときに、便器内の便臭を直接吸い込み通風路に通風させ、触媒を担持した触媒体に通過させると、便臭の一部は触媒体に吸着され、一部は無臭物質かまたは別の物質に変化させることができる。この変化した物質と残りの便臭を後段の吸着剤を担持した吸着体で除去することができる。さらに後段に配置されたマイナス粒子発生装置からマイナス粒子を発生することができる。そのため、便器内の便臭をトイレ空間内に拡散させることなく脱臭ができ、なおかつマイナス粒子によりリラックス感覚を増大させる効果を得ることができる。
【図面の簡単な説明】
【図１】本発明の実施例であるトイレ脱臭装置の構成を示す図
【図２】本発明の実施例であるトイレ脱臭装置本体の構成を示す要部断面図
【図３】本発明の実施例であるマイナス粒子発生装置の構成を示す要部断面図
【図４】本発明の実施例である除去率を示す図
【図５】本発明の実施例であるトイレ脱臭装置の構成を示す図
【図６】本発明の実施例である除去率を示す図
【図７】本発明の実施例であるマイナス粒子発生量を示す図
【符号の説明】
１、３１　洋式便器
２、３２　便座
３、３３　蓋
４　タンク
５　便器一体型トイレユニット
６、３６　吸気口
７、３７　接続部
８、３８　トイレ脱臭装置本体
９、３９　通風路の入口
１１　筐体
１２　触媒一体型吸着体
１３　マイナス粒子発生装置
１４　通風手段
１５　通風路
２１　光電子発生材
２２　導電性基材
２３　光源
２４　電気的な接地
【図１】
2004100319.tif 000008
【図２】
2004100319.tif 000009
【図３】
2004100319.tif 000010
【図４】
2004100319.tif 000011
【図５】
2004100319.tif 000012
【図６】
2004100319.tif 000013
【図７】
2004100319.tif 000014